(57)【特許請求の範囲】
【請求項１】
機能制限の内容を示す情報を読み取る読取部と，
記憶部に記憶された前記情報に基づき，自装置の機能を制限する処理部とを有し，
前記処理部は，前記読取部により読み取られた第1の前記情報を外部装置に送信し，前
記外部装置の指示に応答した無線接続する基地局から、前記自装置及び他の携帯端末装置に送信された，前記第1の情報を含む第2の前記情報を受信し，受信した前記第2の情報を前記記憶部に記憶する
ことを特徴とする携帯端末装置。
【請求項２】
請求項１において，
前記処理部は，前記第1の情報が前記記憶部に記憶されていないと，前記第1の情報を外部装置に送信する
ことを特徴とする携帯端末装置。
【請求項３】
請求項１または２において，
前記処理部は，前記自装置及び前記他の携帯端末装置への送信において、前記基地局から同報送信された前記第2の情報を受信する
ことを特徴とする携帯端末装置。
【請求項４】
請求項１または２において，
さらに，前記基地局に無線接続し，無線接続した前記基地局を介して前記外部装置と通信する通信部を有し，
前記処理部は，無線接続する前記基地局が第1の前記基地局から前記第1の基地局と異なる第2の前記基地局に変わると，前記外部装置に前記情報の送信要求を行い，前記送信要求に応答して前記外部装置から送信された，前記外部装置に記憶されている第3の前記情報を受信し，受信した前記第3の情報を前記記憶部に記憶する
ことを特徴とする携帯端末装置。
【請求項５】
携帯端末装置で実行される機能制限方法であって，
機能制限の内容を示す情報を読み取り，
読み取られた第1の前記情報を外部装置に送信し，
前記外部装置の指示に応答した無線接続する基地局から、自装置及び他の携帯端末装置に送信された，前記第1の情報を含む第2の前記情報を受信し，
受信した前記第2の情報を記憶部に記憶し，
前記記憶部に記憶された前記第2の情報に基づき，前記自装置の機能を制限する
ことを特徴とする機能制限方法。
【請求項６】
コンピュータに，
機能制限の内容を示す情報を読み取り，
読み取られた第1の前記情報を外部装置に送信し，
前記外部装置の指示に応答した無線接続する基地局から、自装置及び他の携帯端末装置に送信された，前記第1の情報を含む第2の前記情報を受信し，
受信した前記第2の情報を記憶部に記憶し，
前記記憶部に記憶された前記第2の情報に基づき，前記自装置の機能を制限する処理を実行させる
ことを特徴とするプログラム。
【発明の詳細な説明】
【技術分野】
【０００１】
本発明は，携帯端末装置，機能制限方法，プログラムに関する。
【背景技術】
【０００２】
携帯端末装置が有する各種機能を自動的に制限する技術(以下，制限技術と適宜記す)が提案されている。携帯端末装置は，例えば，携帯電話機や，スマートフォン(Smartphone)，タブレット端末装置である。
【０００３】
かかる制限技術を有する携帯端末装置は，携帯端末装置の機能制限の内容を示す機能制限情報(以下，制限情報と適宜記す)を他の装置から取得する。この機能制限は，例えば，携帯端末装置の音声出力機能を停止するものである。
【０００４】
かかる携帯端末装置は，読み取った制限情報に基づき，携帯端末装置の機能を制限する。機能制限が，携帯端末装置の音声出力機能を停止する場合，かかる携帯端末装置は，読み取った制限情報に基づき，音声出力を停止する(いわゆるマナーモードに移行する)。
【先行技術文献】
【特許文献】
【０００５】
【特許文献１】国際公開第２００６／０６７８４０号
【特許文献２】特開２００７−２７８８７号公報
【特許文献３】特開２０１１−２２８８８２号公報
【発明の概要】
【発明が解決しようとする課題】
【０００６】
しかし，かかる携帯端末装置は，他の装置から制限情報を確実に取得することが困難な場合がある。例えば，他の装置が制限情報を携帯端末装置に無線により送出する場合，この無線電波の到達範囲が狭いと，かかる携帯端末装置は，他の装置からの制限情報の取得が困難になる。他にも，例えば，障害物により前記した無線電波が遮られると，かかる携帯端末装置は，他の装置からの制限情報の取得が困難になる。
【０００７】
本実施の形態の一つの側面は，制限情報を確実に取得することにある。
【課題を解決するための手段】
【０００８】
本実施の形態の第１の側面は，機能制限の内容を示す情報を読み取る読取部と，記憶部に記憶された前記情報に基づき，自装置の機能を制限する処理部とを有し，前記処理部は，前記読取部により読み取られた第1の前記情報を外部装置に送信し，前記外部装置から送信された，前記第1の情報を含む第2の前記情報を受信し，受信した前記第2の情報を前記記憶部に記憶することを特徴とする携帯端末装置である。
【発明の効果】
【０００９】
第１の側面によれば，制限情報を確実に取得することができる。
【図面の簡単な説明】
【００１０】
【図１】図1は，本実施の形態の全体システムを説明する図である。
【図２】図2は，図1で説明した制限情報を説明する図である。
【図３】図3は，図1の携帯端末装置1a〜1cのハードウェア構成を示すブロック図である。
【図４】図4は，図1の第1の携帯端末装置1a〜第3の携帯端末装置1cのソフトウェア構成を示すブロック図である。
【図５】図5は，図1の管理サーバ4のハードウェア構成を示すブロック図である。
【図６】図6は，図1の管理サーバ4のソフトウェア構成を示すブロック図である。
【図７】図7は，管理サーバ4のストレージ402の制限情報記憶領域IR2に記憶されている制限情報を説明する図である。
【図８】図8は，図2の制限情報IF1と図7の制限情報STR4とを含む制限情報を説明する図である。
【図９】図9は，図1で説明した携帯端末装置，管理サーバ，基地局の処理を説明するフロー図である。
【図１０】図10は，携帯端末装置における制限情報の読み取りと送信を説明するフロー図である。
【図１１】図11は，管理サーバにおける制限情報の受信と更新を説明するフロー図である。
【図１２】図12は，携帯端末装置における制限情報の受信と更新を説明するフロー図である。
【図１３】図13は，携帯端末装置における制限情報送信要求と受信処理を説明するフロー図である。
【図１４】図14は，管理サーバにおける制限情報送信要求に対する応答を説明するフロー図である。
【図１５】図15は，携帯端末装置が実行する，制限情報に基づく機能制限について説明するフロー図である。
【発明を実施するための形態】
【００１１】
[システム構成図]
図1は，本実施の形態の全体システムを説明する図である。第1の携帯端末装置1a〜第3の携帯端末装置1cは，それぞれ，図示しないユーザA〜Cが所持する携帯端末装置である。第1の携帯端末装置1a〜第3の携帯端末装置1cは，移動可能な端末装置であり，携帯電話機や，スマートフォン，タブレット端末装置など通信機能を有する装置である。
【００１２】
RFIDタグ2は，公共施設，民間施設，駅，バス停など様々な場所に設置されている。例えば，RFIDタグ2は，コンサートなどのイベント会場や図書館や映画館の入場口に設置されている。RFIDは，"Radio Frequency IDentification"の略語である。RFIDタグ2は，例えばアクティブタグである。なお，RFIDタグは，RFタグとも呼ばれる。
【００１３】
RFIDタグ2は，携帯端末装置が有する機能の制限の内容を示す制限情報を無線により送出する。なお，制限情報については，図2で説明する。
【００１４】
第1の基地局3a，第2の基地局3bは，無線通信圏内に在圏する携帯端末装置と無線接続し，無線通信する。なお，第1の基地局3aの無線通信圏を符号RNで示す。
【００１５】
具体的には，第1の基地局3aは，第1の携帯端末装置1a，第2の携帯端末装置1bと無線接続し，第2の基地局3bは，第3の携帯端末装置1cと無線接続する。
【００１６】
第1の基地局3a，第2の基地局3bは，図示しないコアネットワークと例えば有線通信する。コアネットワークは，バックボーン回線，基幹回線網，キャリア網とも呼ばれ，第1の基地局3a，第2の基地局3bと大規模ネットワークNTとを中継するネットワークである。大規模ネットワークNTは，例えばインターネットである。
【００１７】
管理サーバ4は，第1の携帯端末装置1a〜第3の携帯端末装置1cの制限情報などを管理するサーバ(情報処理装置とも呼ぶ)である。
【００１８】
図1で示した符号S1〜S11は，図9のフロー図における各ステップに対応する。なお，図1で示した符号R1，P11〜P14については図2で説明し，符号MVについては，図4で説明する。
【００１９】
[制限情報]
図2は，図1で説明した制限情報を説明する図である。図2の制限情報IF1は，携帯端末装置の機能の制限の内容を示す情報の一例である。
【００２０】
制限情報IF1は，機能の制限種別を示す制限種別と，この制限種別が適用される位置を示す位置情報と，この制限種別が適用される時間帯を示す制限時間とを有する。
【００２１】
制限情報IF1は，位置情報を示す位置情報行と，制限種別を示す制限種別行と，制限時間帯を示す制限時間行とを有する。位置情報行は，制限種別が適用される位置情報により示される範囲(制限範囲とも呼ぶ)を特定する頂点を示す頂点行と，この頂点の個数を示す個数行とを有する。制限時間行は，制限種別が適用される制限時間帯の開始時間を示す開始時間行と，この制限時間帯の終了時間を示す終了時間行とを有する。なお，符号STR1については，図4で説明する。
【００２２】
制限情報IF1において，制限種別"マナーモード"が適用される位置が，頂点P11，P12，P13，P14(図1参照)で特定される。図1で示す頂点P11，P12，P13，P14で特定される4角形を図1の制限範囲R1で示す。制限情報IF1において，この頂点P11，P12，P13，P14の個数を"4"で示している。さらに，制限情報IF1において，頂点P11を"緯度p11,経度p11"で示し，頂点P12を"緯度p12,経度p12"で示し，頂点P13を"緯度p13,経度p13"で示し，頂点P14を"緯度p14,経度p14"で示している。
【００２３】
制限情報IF1において，制限種別"マナーモード"が適用される制限時間帯の開始時間，終了時間をそれぞれ"10：00"，"20：00"で示している。
【００２４】
制限情報IF1は，4つの頂点P11，P12，P13，P14で示す制限範囲R1の内側に位置する携帯端末装置(例えば，第1の携帯端末装置1a)に，"10：00"から"20：00"の間，マナーモードに移行(音声出力の停止状態に以降)することを指示する情報である。
【００２５】
図1に示したRFIDタグ2は，例えば図2の制限情報IF1を無線により送出する。RFIDタグ2が出力する無線電波が届く範囲(以下，電波範囲と適宜記す)に位置する携帯端末装置は，RFIDタグ2が送出する制限情報IF1を受信し，自装置に記憶する。
【００２６】
自装置に制限情報IF1を記憶する携帯端末装置は，4頂点P11，P12，P13，P14で示す制限範囲R1の内側に位置する場合，"10：00"から"20：00"の間，マナーモードに自動的に移行する。
【００２７】
なお，制限範囲R1を特定する位置情報としては，4つの頂点に限定されない。制限範囲を，例えば，1点と，この1点を中心とする半径の円で示してもよい。
【００２８】
携帯端末装置(例えば，第1の携帯端末装置1a)とRFIDタグ2との間の無線通信が可能な距離(以下，無線通信可能距離と適宜記す)は，短い。換言すれば，RFIDタグ2の電波出力は弱いので，無線電波が到達する電波範囲は狭く，この無線通信可能距離は短い。なお，通常，無線通信可能距離は，数メートル程度である。
【００２９】
例えば，RFIDタグ2が，映画館や図書館の入場口に設置されている場合を想定する。かかる想定において，携帯端末装置を所持するユーザが，この入場口から映画館や図書館に入館しても，前記したように無線通信可能距離が短いため，RFIDタグ2の電波範囲外を通ることがある。その結果，この携帯端末装置は，RFIDタグ2から制限情報IF1を取得できないことがある。
【００３０】
また，携帯端末装置がRFIDタグ2の電波範囲に位置しても，携帯端末装置は，障害物などの影響により，RFIDタグ2により送出された制限情報IF1を取得できないことがある。特に，RFIDタグ2の電波範囲内において人が混雑している場合には，人により無線電波が遮られ，携帯端末装置は，RFIDタグ2により送信された制限情報IF1を取得できなくなる可能性が高くなる。
【００３１】
本実施の形態の携帯端末装置は，RFIDタグ2より送出される制限情報IF1を取得できない場合でも，以下に説明する処理を実行して，制限情報IF1を自装置に記憶する。
【００３２】
[携帯端末装置と管理サーバの動作説明]
図1を参照し，本実施の形態における携帯端末装置と管理サーバの動作を説明する。例えば，第1の携帯端末装置1aが，RFIDタグ2より送出される制限情報IF1の取得に成功する(図1のS1)。すると，第1の携帯端末装置1aは，制限情報IF1を第1の基地局3aを介して，管理サーバ4に送信する(S2)。
【００３３】
管理サーバ4は，制限情報IF1が自装置に記憶されていない場合，制限情報IF1を含む制限情報を第1の基地局3aに送信する(S4)。そして，管理サーバ4は，第1の基地局3aと無線接続する複数の携帯端末装置に制限情報IF1を含む情報を同報送信するように指示する信号を，第1の基地局3aに送信する(S4)。この複数の携帯端末装置は，図1では，第1の携帯端末装置1a，第2の携帯端末装置1bである。
【００３４】
第1の基地局3aは，この信号に応答し，第1の基地局3aと無線接続する複数の携帯端末装置に制限情報IF1を含む情報を同報送信する(S5)。第1の基地局3aと無線接続する複数の携帯端末装置は，制限情報IF1を含む情報を受信し，記憶する(S6，S7)。以上説明した処理により，この複数の携帯端末装置は，制限情報IF1を確実に受信することができる。
【００３５】
[携帯端末装置]
図3，図4を参照して，本実施の形態の携帯端末装置のハードウェア構成，ソフトウェア構成について説明する。
【００３６】
(ハードウェア構成)
図3は，図1の携帯端末装置1a〜1cのハードウェア構成を示すブロック図である。携帯端末装置1は，図1で説明した第1の携帯端末装置1a〜第3の携帯端末装置1cのハードウェア構成を示している。なお，携帯端末装置1は，図示しない電話機能により，他の携帯端末装置と通話が可能である。
【００３７】
携帯端末装置1は，バスBに接続された，CPU(処理部)101と，ストレージ装置(記憶部)102と，RAM103と，ROM104と，振動装置105と，音声入出力装置106と，表示装置107とを有する。さらに，携帯端末装置1は，入力装置108と，通信装置(通信部)109と，制限情報読取装置(読取部)110と，位置測定装置111と，外部接続インターフェイス装置112とを有する。
【００３８】
以下，CPU(処理部)101をCPU101，ストレージ装置(記憶部)102をストレージ102，制限情報読取装置(読取部)110を制限情報読取装置110と適宜記す。なお，CPUは" Central Processing Unit"の略語，RAMは"Random Access Memory"の略語，ROMは，" Read Only Memory"の略語である。
【００３９】
CPU101は，携帯端末装置1の全体を制御する中央演算処理装置である。ストレージ102は，例えばハードディスクドライブや，ソリッドステートドライブや，不揮発性の半導体メモリなどの大容量記憶装置である。
【００４０】
ストレージ102は，制限情報記憶領域IR1を有する。制限情報記憶領域IR1は，制限情報(図2参照)を記憶する領域である。
【００４１】
RAM103は，CPU101が実行する処理や，処理ソフトSF1が実行する各ステップにおいて生成(算出)されたデータなどを一時的に記憶する。RAM103は，例えばDRAM(Dynamic Random Access Memory)などの半導体メモリである。
【００４２】
CPU101は，携帯端末装置1の起動時に，ROM104から処理ソフトSF1の実行ファイルを読み出し，RAM103に展開する。なお，この実行ファイルを外部記憶媒体MDに記憶してもよい。
【００４３】
ROM104は，各種データ，例えば，処理ソフトSF1の実行ファイル(プログラム)を記憶する。振動装置105は，いわゆるバイブレータであり，振動により電話の着信などを報知する。音声入出力装置106は，音声を出力するスピーカと音声を入力するマイクとを有する。
【００４４】
表示装置107は，画像，文字などの各種情報を表示面(図示しない)に表示する。表示装置107は，例えば液晶パネルである。入力装置108は，携帯端末装置1に操作情報を入力する。入力装置108は，例えばタッチパネルであり，表示面に対する物体の接触位置を示す座標を検出する。
【００４５】
通信装置109は，各種無線通信方式(例えば，LTE(Long Term Evolution)や，3Gなど)を利用して基地局に無線接続し，以後，この基地局と無線通信する。通信装置109は，例えば，第1の基地局3a,第2の基地局3bに無線接続し，無線接続した基地局を介して管理サーバ4と通信する。
【００４６】
制限情報読取装置110は，機能制限の内容を示す制限情報(図2参照)を読み取る。制限情報読取装置110は，例えば，図1のRFIDタグ2より送出される制限情報を読み取る装置である。制限情報読取装置110は，読み取った(受信した)制限情報をRAM103に記憶する。制限情報読取装置110は，タグリーダとも呼ばれる。
【００４７】
位置測定装置111は，例えばGPS(Global Positioning System)を利用して現在位置を検出し，位置情報としてRAM103に記憶する。なお，この位置情報は，緯度，経度で示される。
【００４８】
外部接続インターフェイス装置112は，携帯端末装置1と，外部記憶媒体MDとを接続するためのインターフェイスとして機能する装置である。外部接続インターフェイス装置112は，例えば，カードスロットや，USBのポートである。
【００４９】
外部接続インターフェイス装置112を介して，記憶媒体に記憶されたデータを読み取る記憶媒体読み取り装置(図示しない)と接続する構成としても良い。この記憶媒体(記録媒体とも呼ばれる)は，例えば，CD-ROM(Compact Disc Read Only Memory)，DVD(Digital Versatile Disc)などの可搬型記憶媒体である。
【００５０】
(ソフトウェア構成)
図4は，図1の第1の携帯端末装置1a〜第3の携帯端末装置1cのソフトウェア構成を示すブロック図である。
【００５１】
処理ソフトSF1は，制御部11と，制限情報読取部12と，制限情報比較部13と，送受信部14と，制限情報送信要求部15と，位置情報取得部16と，制限範囲判断部17と，機能制限部18と，制限時間終了判定部19とを有する。
【００５２】
制御部11は，携帯端末装置1の制御処理を行う。例えば，制御部11は，制限情報読取部12，制限情報比較部13，送受信部14，制限情報送信要求部15，位置情報取得部16，制限範囲判断部17，機能制限部18，制限時間終了判定部19の制御を行う。
【００５３】
制限情報読取部12は，図3の制限情報読取装置110がRAM103に記憶した制限情報を，RAM103から読み取る。制限情報比較部13は，RAM103から読み取った制限情報と，ストレージ102の制限情報記憶領域IR1に記憶されている制限情報とを比較し，RAM103から読み取った制限情報がストレージ102の制限情報記憶領域IR1に記憶されているか判定する。
【００５４】
送受信部14は，読み取られた第1の制限情報(例えば，図2の制限情報IF1)を管理サーバ4に送信する。好ましくは，送受信部14は，第1の制限情報がストレージ102の制限情報記憶領域IR1に記憶されていないと，第1の制限情報を管理サーバ4に送信する。
【００５５】
そして，送受信部14は，管理サーバ4から送信された，第1の制限情報を含む第2の制限情報(例えば，図8で説明する制限情報IF1〜IF4)を受信する。具体的には，送受信部14は，基地局(例えば，第1の基地局3a)から同報送信された第2の制限情報を通信装置109を介して受信する。そして，送受信部14は，受信した第2の制限情報をストレージ102の制限情報記憶領域IR1に記憶する。
【００５６】
制限情報送信要求部15は，管理サーバ4に制限情報の送信要求を行う。例えば，図1の符号MVに示すように，第3の携帯端末装置1cは，第2の基地局3bの無線通信圏内から第1の基地局3aの無線通信圏RN内に移動する。すると，第3の携帯端末装置1cの通信装置109は，接続する基地局を第2の基地局3bから第2の基地局3bと異なる第1の基地局3aに変える。
【００５７】
このように，接続する基地局が第2の基地局3bから異なる第1の基地局に変わると，第3の携帯端末装置1cの制限情報要求部15は，管理サーバ4に制限情報の送信要求を行う。送受信部14は，この送信要求に応答して管理サーバ4から送信された，管理サーバ4に記憶されている制限情報を受信し，受信した制限情報をストレージ102の制限情報記憶領域IR1に記憶する。
【００５８】
位置情報取得部16は，位置測定装置111がRAM103に記憶した位置情報を，RAM103から読み出す。制限範囲判断部17は，自装置の現在位置が，制限情報によって示される制限範囲内に位置するか判断(判定とも呼ぶ)する。
【００５９】
機能制限部18は，ストレージ102の制限情報記憶領域IR1に記憶された制限情報に基づき，自装置の機能を制限する。以下，制限情報記憶領域IR1に記憶されている制限情報を制限情報STR1と適宜記す。
【００６０】
例えば，機能制限部18は，制限情報STR1で示される制限範囲に自装置が位置し，さらに，現在時間が制限情報STR1の制限時間帯に含まれる場合，制限情報STR1の制限種別を実行する。
【００６１】
例えば，制限情報STR1が制限情報IF1であるとする。機能制限部18は，制限情報IF1で示される制限範囲R1に自装置が位置し，さらに，現在時がこの制限情報STR1の制限時間帯"10：00〜20：00"に含まれると，この制限情報STR1の制限種別"マナーモード"を実行する。
【００６２】
なお，制限種別としては，"マナーモード"の他にも様々なモードがある。例えば，携帯端末装置1が静止画や動画の撮像機能を有している場合，美術館や映画館において，この撮像機能を停止するカメラ停止モードである。また，美術館や映画館において，携帯端末装置の電源をオフにする電源オフモードである。
【００６３】
制限時間終了判定部19は，制限情報STR1で示される制限時間帯の終了時間が経過すると，この制限情報STR1をストレージ102から削除する。
【００６４】
[管理サーバ]
図5，図6を参照して，管理サーバのハードウェア構成，ソフトウェア構成について説明する。
【００６５】
(ハードウェア構成)
図5は，図1の管理サーバ4のハードウェア構成を示すブロック図である。管理サーバ4は，バスBに接続された，CPU(処理部)401と，ストレージ装置(記憶部)402と，RAM403と，ROM404と，通信装置(通信部)405と，外部接続インターフェイス装置406とを有する。
【００６６】
以下，CPU(処理部)401をCPU401，ストレージ装置(記憶部)402をストレージ402，通信装置(通信部)405を通信装置405と適宜記す。
【００６７】
CPU401は，管理サーバ4の全体を制御する中央演算処理装置である。ストレージ402は，例えばハードディスクドライブや，ソリッドステートドライブや，不揮発性の半導体メモリなどの大容量記憶装置である。
【００６８】
ストレージ402は，制限情報記憶領域IR2を有する。制限情報記憶領域IR2は，制限情報(図7，図8参照)を記憶する領域である。
【００６９】
RAM403は，CPU401が実行する処理や，処理ソフトSF2が実行する各ステップにおいて生成(算出)されたデータなどを一時的に記憶する。RAM403は，例えばDRAMなどの半導体メモリである。
【００７０】
CPU401は，管理サーバ4の起動時に，ROM404から処理ソフトSF2の実行ファイルを読み出し，RAM403に展開する。なお，この実行ファイルを外部記憶媒体MDに記憶してもよい。
【００７１】
ROM404は，各種データ，例えば，処理ソフトSF2の実行ファイル(プログラム)を記憶する。
【００７２】
通信装置405は，図1に示したネットワークNTを介して第1の基地局3a，第2の基地局3bと，例えば有線通信する。そして，通信装置405は，携帯端末装置1と無線接続する第1の基地局3a,第2の基地局3bを介して携帯端末装置1と通信する。通信装置405は，この通信を利用して，制限情報を携帯端末装置1と送受信する。
【００７３】
外部接続インターフェイス装置406は，管理サーバ4と，外部記憶媒体MDとを接続するためのインターフェイスとして機能する装置である。他にも，外部接続インターフェイス装置406は，キーボード，マウスなどの入力装置や，液晶ディスプレイなどの表示装置と接続するためのインターフェイスとして機能する。外部接続インターフェイス装置406は，例えば，カードスロットや，USBのポートである。
【００７４】
なお，外部接続インターフェイス装置406を介して，記憶媒体(例えば，CD-ROM，DVD)に記憶されたデータを読み取る記憶媒体読み取り装置(図示しない)と接続する構成としても良い。
【００７５】
(ソフトウェア構成)
図6は，図1の管理サーバ4のソフトウェア構成を示すブロック図である。処理ソフトSF2は，制御部41と，送受信部42と，制限情報比較部43と，制限情報同報部44と，制限時間終了判定部45とを有する。
【００７６】
制御部41は，管理サーバ4の制御処理を行う。例えば，制御部41は，送受信部42，制限情報比較部43，制限情報同報部44，制限時間終了判定部45の制御を行う。
【００７７】
送受信部42は，制限情報を，通信装置405を介して送受信する。例えば，送受信部42は，第1の携帯端末装置1aから送信された制限情報IF1を受信しRAM403に記憶する。
【００７８】
制限情報比較部43は，RAM403に記憶された制限情報(例えば，制限情報IF1)と，ストレージ402の制限情報記憶領域IR2に記憶されている制限情報(図7参照)とを比較し，RAM403に記憶された制限情報がストレージ402の制限情報記憶領域IR2に記憶されているか判定する。
【００７９】
制限情報同報部44は，通信装置405を介して受信した第1の制限情報が，ストレージ402の制限情報記憶領域IR2に記憶されていないと，第2の制限情報を通信装置405を介して，例えば第1の基地局3aに送信する。第1の制限情報は，例えば，図2の制限情報IF1である。第2の制限情報(例えば，図8の制限情報IF1〜IF4)は，少なくとも第1の制限情報を含む制限情報である。
【００８０】
制限情報同報部44は，第2の制限情報を例えば第1の基地局3aに送信する。制限情報同報部44は，この第2の制限情報の送信と共に，例えば第1の基地局3aと無線接続する複数の携帯端末装置(1a,1b)に第2の制限情報を同報送信するように指示する信号を通信装置405を介して第1の基地局3aに送信する。この指示により，制限情報のいわゆるプッシュ通知が可能になる。
【００８１】
制限時間終了判定部45は，ストレージ402の制限情報記憶領域IR2に記憶されている制限情報における制限時間帯の終了時間が経過すると，この制限情報をストレージ402から削除する。
【００８２】
図1の管理サーバ4により，携帯端末装置に制限情報を送信し，送信した制限情報をこの携帯端末装置に取得させることができる。また，専用の管理サーバを設けることにより，この制限情報の送信処理を高速化できる。
【００８３】
[携帯端末装置，基地局，管理サーバの処理の説明]
図2，図7〜図9を参照して，携帯端末装置，基地局，管理サーバの処理を説明する。
【００８４】
(制限情報)
図7は，管理サーバ4のストレージ402の制限情報記憶領域IR2に記憶されている制限情報を説明する図である。以下，ストレージ402の制限情報記憶領域IR2に記憶されている制限情報を制限情報STR4と適宜記す。
【００８５】
制限情報STR4は，制限情報IF2〜IF4を含む。制限情報IF2〜IF4の構成は，図2で説明した制限情報IF1の構成と同様であるので説明を省略する。制限情報IF2〜IF4は，例えば第1の基地局3aに在圏する携帯端末装置1から送信された制限情報である。制限情報IF2〜IF4は，第1の基地局3aの識別子と対応付けてストレージ402の制限情報記憶領域IR2に記憶されている。
【００８６】
図8は，図2の制限情報IF1と図7の制限情報STR4とを含む制限情報を説明する図である。図8の制限情報STR4'は，制限情報IF1〜IF4を含む。
【００８７】
(フロー図)
図9は，図1で説明した携帯端末装置，管理サーバ，基地局の処理を説明するフロー図である。以下のフロー図の説明において，"Ss"(小文字sは1以上の整数)は，ステップSsを意味し，このステップという文字を適宜省略する。
【００８８】
図9の説明において，図1で説明したように，ユーザA〜Cがそれぞれ第1の携帯端末装置1a〜第3の携帯端末装置1cを所持している。そして，第1の携帯端末装置1a，第2の携帯端末装置1bが第1の基地局3aの無線通信圏RN内に在圏している。また，第3の携帯端末装置1cが第2の基地局3bの無線通信圏内に在圏している。さらに，ユーザAが，RFIDタグ2の電波範囲内に移動し，RFIDタグ2の電波範囲内に在圏している。一方，ユーザB，Cは，RFIDタグ2の電波範囲外にいる。そして，図9の説明において，S1〜S11が，図1の符号S1〜S11に対応している。
【００８９】
(第1の携帯端末装置1aにおける処理)
ステップS1:第1の携帯端末装置1aの制限情報読取装置110は，RFIDタグ2から制限情報IF1を読み取り，RAM103に記憶する。
【００９０】
ステップS2:第1の携帯端末装置1aの制限情報比較部13は，RFIDタグ2の制限情報IF1がストレージ102の制限情報記憶領域IR1に記憶されているか判定する。具体的には，制限情報比較部13は，RFIDタグ2の制限情報IF1と，ストレージ102の制限情報記憶領域IR1に記憶されている制限情報とを比較し，制限情報IF1が制限情報記憶領域IR1に記憶されている制限情報に含まれるか判定する。
【００９１】
RFIDタグ2の制限情報IF1がストレージ102の制限情報記憶領域IR1に記憶されていない場合，送受信部14は，管理サーバ4にRFIDタグ2の制限情報IF1を送信する。図9の説明では，第1の携帯端末装置1aのストレージ102の制限情報記憶領域IR1には制限情報IF1が記憶されていないとする。なお，第1の携帯端末装置1aから送信された制限情報IF1は，第1の基地局3a，ネットワークNTを介して，管理サーバ4に送信される。
【００９２】
(管理サーバ4における処理)
ステップS3:管理サーバ4の送受信部42は，第1の携帯端末装置1aから送信された制限情報IF1を受信し，RAM403に記憶する。制限情報比較部43は，RAM403に記憶された制限情報IF1が，ストレージ402の制限情報記憶領域IR2に記憶されているか判定する。具体的には，ストレージ402の制限情報記憶領域IR2に制限情報STR4が記憶されている場合，制限情報比較部43は，RAM403に記憶された制限情報IF1と制限情報STR4とを比較し，制限情報IF1が制限情報STR4に含まれるか判定する。
【００９３】
ステップS4:制限情報同報部44は，制限情報IF1がストレージ402の制限情報記憶領域IR2に記憶されていない場合，制限情報IF1と制限情報STR4とを含む制限情報STR4'（図8参照）を作成する。そして，制限情報同報部44は，制限情報IF1を送信した第1の携帯端末装置1aが接続している第1の基地局3aに，制限情報STR4'と共に，制限情報STR4'を同報送信するように指示する指示信号を送信する。
【００９４】
(第1の基地局3aにおける処理) 
ステップS5:第1の基地局3aは，この指示信号に応答して，無線通信圏RN内に在圏する全ての携帯端末装置に制限情報STR4'を同報送信する。以下の説明において，第1の携帯端末装置1a，第2の携帯端末装置1bが，第1の基地局3aの無線通信圏RN内に在圏し，第1の基地局3aと無線接続している。
【００９５】
(第2の携帯端末装置1bにおける処理)
ステップS6:第2の携帯端末装置1bの送受信部14は，第1の基地局3aが同報送信した制限情報STR4'を受信し，ストレージ102の制限情報記憶領域IR1に記憶する。S6の処理により，制限情報IF1を読み取っていない携帯端末装置であっても自装置に制限情報IF1を記憶することができる。
【００９６】
(第1の携帯端末装置1aにおける処理)
ステップS7:第1の携帯端末装置1aの送受信部14は，第1の基地局3aが同報送信した制限情報STR4'を受信し，ストレージ102の制限情報記憶領域IR1に記憶する。
【００９７】
次に，第3の携帯端末装置1cを所持するユーザCが，第2の基地局3bの無線通信圏から第1の基地局3aの無線通信圏RNに移動した場合の処理について，S8〜S11で説明する。
【００９８】
(第3の携帯端末装置1cにおける処理)
ステップS8:第3の携帯端末装置1cの制限情報送信要求部15は，別の基地局に在圏すると，在圏している第1の基地局3aを介して，管理サーバ4に制限情報送信要求を行う。具体的には，図1に示すように，第3の携帯端末装置1cは，第2の基地局3bの無線通信圏から，第1の基地局3aの無線通信圏RN内に移動する(符号MV参照)。
【００９９】
(管理サーバ4における処理)
ステップS9:管理サーバ4の送受信部42は，制限情報送信要求を受信すると，制限情報同報部44に制限情報送信要求を転送する。
【０１００】
ステップS10:制限情報同報部44は，制限情報送信要求を受信すると，ストレージ402の制限情報記憶領域IR2に記憶されている制限情報STR4'を第1の基地局3aを介して第3の携帯端末装置1cに送信する。
【０１０１】
(第3の携帯端末装置1cにおける処理)
ステップS11:第3の携帯端末装置1cの送受信部14は，制限情報STR4'を受信し，ストレージ102の制限情報記憶領域IR1に記憶する。
【０１０２】
S11の処理により，第3の携帯端末装置1cは，制限情報IF1を自装置に記憶することができる。
【０１０３】
図9で説明したように，第1の携帯端末装置1aは，RFIDタグ2から読み取った制限情報IF1を管理サーバ4に送信する(図9のS2)。そして，第2の携帯端末装置1bは，第1の携帯端末装置1aが読み取った制限情報IF1を第1の基地局3aを介して管理サーバ4から受信することができる(図9のS6)。
【０１０４】
また，第1の基地局3aの無線通信圏RN内に第3の携帯端末装置1cが在圏すると，第3の携帯端末装置1cも管理サーバ4から送信された制限情報IF1を受信することができる(図9のS11)。
【０１０５】
基地局と，基地局の無線通信圏内に在圏する携帯端末装置との無線通信は，例えばLTEや3Gなどの無線通信方式を利用している。基地局の無線通信圏は，RFIDタグの電波範囲よりも広く，さらに，基地局と携帯端末装置との間の無線通信の電波強度は，RFIDタグと携帯端末装置との無線通信の電波強度よりも強い。従って，携帯端末装置は，RFIDタグとの無線通信に比較して確実に，基地局との無線通信を実行することができる。その結果，携帯端末装置は，基地局との無線通信により，この基地局から制限情報を確実に受信することができる。
【０１０６】
図9の例では，第1の携帯端末装置1aが無線接続している第1の基地局3aの無線通信圏RN内に在圏している携帯端末装置は，管理サーバ4から制限情報IF1を確実に受信することができる。換言すれば，第1の基地局3aの無線通信圏RN内に在圏している複数の携帯端末装置の中の1つの携帯端末装置が，制限情報IF1の読み取りに成功すれば，前記複数の携帯端末装置の全てが，制限情報IF1を共有することができる。
【０１０７】
その結果，第1の基地局3aの無線通信圏RN内に在圏している携帯端末装置は，仮に，RFIDタグ2から制限情報IF1を読み取れなくても，受信した制限情報IF1に基づき，機能制限を実行することができる。
【０１０８】
ここで，基地局が，無線通信圏内に在圏する携帯端末装置に制限情報を同報送信(図9のS4，S5)する理由について説明する。基地局の無線通信圏内に在圏する携帯端末装置は，この無線通信圏内に設置されているRFIDタグが送出する制限情報の制限範囲に入る可能性が高い。そこで，かかる携帯端末装置が，この制限範囲に入った場合に，この制限情報に基づき，自動的に機能制限を自動的に実行できるように，基地局の無線通信圏内に在圏する携帯端末装置に制限情報を同報送信する。
【０１０９】
[図9のフロー図の詳細説明]
図10〜図14を参照して，図9のフロー図について詳細に説明する。
【０１１０】
(携帯端末装置における制限情報の読み取りと送信)
図10は，携帯端末装置における制限情報の読み取りと送信を説明するフロー図である。具体的には，図10は，図9で説明したS1，S2の処理を詳細に説明するフロー図である。以下，S21が図9のS1の詳細説明，S22〜S25が，図9のS2の詳細説明である。
【０１１１】
ステップS21：第1の携帯端末装置1aの制限情報読取装置110は，RFIDタグ2から制限情報IF1を読み取り，RAM103に記憶する。制限情報読取部12は，RAM103に記憶された制限情報IF1を読み出し，制限情報比較部13に出力する。
【０１１２】
ステップS22：制限情報比較部13は，入力された制限情報IF1に制限種別が含まれるか判定する。具体的には，制限情報比較部13は，受信した制限情報に"マナーモード"，"カメラ停止モード"などの制限種別が含まれるか判定する。制限種別が含まれていない場合(S22/NO)，処理を終了し，図15で説明する機能制限処理に移る。一方，制限種別が含まれている場合(S22/YES)，S23に移る。
【０１１３】
以下に説明するS23，S24で，制限情報比較部13は，読み取られたRFIDタグ2の制限情報IF1が，ストレージ102の制限情報記憶領域IR1に記憶されているか判定する。
【０１１４】
ステップS23：第1の携帯端末装置1aの制限情報比較部13は，RFIDタグ2の制限情報IF1と，ストレージ102の制限情報記憶領域IR1に記憶されている制限情報とを比較する。
【０１１５】
ステップS24：第1の携帯端末装置1aの制限情報比較部13は，RFIDタグ2の制限情報IF1が，ストレージ102の制限情報記憶領域IR1に記憶されている制限情報に含まれるか判定する。なお，この比較(S23)と判定(S24)については，図11で詳細に説明する。
【０１１６】
RFIDタグ2の制限情報IF1が制限情報記憶領域IR1に記憶されている制限情報に含まれている場合(S24/YES)，図15で説明する機能制限処理に移る。RFIDタグ2の制限情報IF1が制限情報記憶領域IR1に記憶されている制限情報に含まれていない場合(S24/NO)，S25に移る。
【０１１７】
ステップS25：第1の携帯端末装置1aの送受信部14は，管理サーバ4に，RFIDタグ2の制限情報IF1を送信する。S25において，第1の携帯端末装置1aの送受信部14は，第1の携帯端末装置1aが接続している基地局(例えば，第1の基地局3a)の識別子(以下，基地局IDと適宜記す)と共に制限情報IF1を管理サーバ4に送信する。
【０１１８】
S25の処理が終了すると，図15の機能制限処理に移ると共に管理サーバ4からの制限情報の受信待ち状態に移行する。
【０１１９】
ここで，図10のS24で説明したように，第1の携帯端末装置1aは，RFIDタグ2から読み取った制限情報IF1が，既に，自装置に記憶されている場合は(S24/NO)，この制限情報を管理サーバ4に送信しない。この処理により，多数の携帯端末装置1が，RFIDタグ2から制限情報IF1を読み取った場合に，この制限情報IF1を同時に管理サーバ4に送信することを防止できる。この防止により，制限情報IF1が一斉に管理サーバ4に送信されることによるネットワークの輻輳を防ぐことができる。
【０１２０】
また，例えば，RFIDタグ2の電波圏内に携帯端末装置1が在圏し続けて，RFIDタグ2の制限情報IF1を何度も読み取った場合には，管理サーバ4に制限情報を1度だけ送信する。そのため，同じ制限情報を繰り返し送信するという無駄な処理を実行しないので，処理負荷が減り，無駄に電力を消費することを抑制できる。
【０１２１】
(管理サーバにおける制限情報の受信と更新)
図11は，管理サーバにおける制限情報の受信と更新を説明するフロー図である。具体的には，図11は，図9で説明したS3，S4の処理を詳細に説明するフロー図である。以下，S31，S32が図9のS3の詳細説明，S33〜S35が，図9のS4の詳細説明である。
【０１２２】
ステップS31：管理サーバ4の送受信部42は，第1の携帯端末装置1aから送信された制限情報IF1を受信し，RAM403に記憶する。
【０１２３】
ステップS32：管理サーバ4の制限情報比較部43は，ストレージ402の制限情報記憶領域IR2に記憶されている制限情報と，受信した制限情報IF1とを比較する。
【０１２４】
具体的には，制限情報比較部43は，制限情報IF1と共に送信された基地局IDと対応付けてストレージ402の制限情報記憶領域IR2に記憶されている制限情報を読み出す。そして，制限情報比較部43は，読み出した制限情報とRAM403に記憶された制限情報IF1とを比較する。
【０１２５】
基地局IDは，例えば，第1の基地局3aの識別子である。そして，この識別子と対応付けて図7の制限情報STR4が記憶されている。そのため，制限情報比較部43は，制限情報IF1共に送信された第1の基地局3aの基地局IDと対応付けてストレージ402の制限情報記憶領域IR2に記憶されている制限情報STR4を読み出す。そして，制限情報比較部43は，制限情報STR4と，受信した制限情報IF1とを比較する。
【０１２６】
ステップS33：管理サーバ4の制限情報比較部43は，受信した制限情報IF1が，ストレージ402の制限情報記憶領域IR2に記憶されている制限情報STR4に含まれるか判定する。受信した制限情報IF1が，制限情報STR4に含まれる場合(S33/YES) S31に戻り，制限情報の受信待ち状態に移行する。受信した制限情報IF1が，制限情報STR4に含まれていない場合(S33/NO)，S34に移る。
【０１２７】
S32の例では，図2の制限情報IF1と図7の制限情報STR4とを比較した場合，図2の制限情報IF1は，図7の制限情報STR4に含まれていない。なお，図2の制限情報IF1と図7の制限情報STR4とを比較する場合，制限情報IF1の位置情報と，制限情報STR4の位置情報(換言すれば，制限情報IF2,IF3，IF4の位置情報)とを比較する。
【０１２８】
そして，制限情報IF2,IF3，IF4の位置情報の何れかの位置情報と，制限情報IF1の位置情報とが一致する場合，制限情報IF1が制限情報STR4に含まれていると判定する。
【０１２９】
なお，位置情報の比較においては，位置情報欄における最上段の頂点同士を比較し，一致するか判定してもよい。例えば，図7の制限情報IF2，IF3，IF4における位置情報の頂点P21，P31，P41と，図2の制限情報IF1における位置情報の頂点P11とを比較し，一致するか判定してもよい。次に，制限情報同報部44は，S34で説明するように，制限情報の更新処理を行う。
【０１３０】
ステップS34：管理サーバ4の制限情報同報部44は，制限情報IF1と制限情報STR4とを含む制限情報（図8参照）を作成し，制限情報STR4に替えて，ストレージ402の制限情報記憶領域IR2に記憶する。
【０１３１】
この制限情報記憶領域IR2に記憶された制限情報は，制限情報STR4'である。ここで，制限情報同報部44は，基地局IDに対応付けて制限情報STR4'を制限情報記憶領域IR2に記憶する。基地局IDは，制限情報IF1を送信した第1の携帯端末装置1aに接続する第1の基地局3aの識別子である。
【０１３２】
ステップS35：管理サーバ4の制限情報同報部44は，制限情報IF1を送信した第1の携帯端末装置1aが接続している第1の基地局3aに，新たに作成した制限情報STR4'と共に，制限情報STR4'を同報送信するように指示する指示信号を送信する。
【０１３３】
第1の基地局3aは，この指示信号に応答して，無線通信圏RN内に在圏する全ての携帯端末装置に制限情報STR4'を同報送信する(図9のS5)。
【０１３４】
なお，管理サーバ4は，受信した制限情報IF1が，ストレージ402の制限情報記憶領域IR2の制限情報STR4に含まれていない場合(S33/YES)，制限情報STR4'を送信しない。この送信しない理由は，制限情報IF1を複数の端末から順次受信した場合に，制限情報STR4'の作成，送信(S34，S35)を繰り返し実行することを防止するためである。この防止により，処理負荷を抑制できる。
【０１３５】
(携帯端末装置における制限情報の受信と更新)
図12は，携帯端末装置における制限情報の受信と更新を説明するフロー図である。具体的には，図12は，図9のS6，S7を詳細に説明するフロー図である。図12では，例えば，第1の携帯端末装置1aにおける制限情報の受信と更新(S7参照)を説明するが，他の携帯端末装置(例えば，第2の携帯端末装置1b(S6参照))でも同様である。
【０１３６】
ステップS61：第1の携帯端末装置1aの送受信部14は，第1の基地局3aが同報送信した制限情報STR4'を受信する。
【０１３７】
ステップS62：第1の携帯端末装置1aの送受信部14は，受信した制限情報STR4'をストレージ102の制限情報記憶領域IR1に記憶する。すなわち，送受信部14は，制限情報の更新処理を行う。
【０１３８】
図12の処理により，携帯端末装置は，制限情報を確実に取得することができる。
【０１３９】
(携帯端末装置における制限情報送信要求と更新)
図13は，携帯端末装置における制限情報送信要求と受信処理を説明するフロー図である。具体的には，図13は，図9で説明したS8，S11の処理を詳細に説明するフロー図である。携帯端末装置は，定期的(例えば，5秒，10秒間隔)に，図13で説明する処理を実行する。以下，S81〜S83が，図9のS8の詳細説明，S84，S85が，図9のS11の詳細説明である。
【０１４０】
ステップS81：第3の携帯端末装置1cの通信装置109は，セルサーチを実行する。
【０１４１】
ステップS82：第3の携帯端末装置1cの制限情報送信要求部15は，S81のセルサーチの結果，接続する基地局が変わったか判定する。そして，制限情報送信要求部15は，判定結果をRAM103に記憶する。
【０１４２】
基地局が変わっていない場合(S82/NO)，S81に移る。基地局が変わった場合(S82/YES)，S83に移る。
【０１４３】
図1の例では，第3の携帯端末装置1cを所持するユーザCが，第2の基地局3bの無線通信圏から第1の基地局3aの無線通信圏RN内に移動する(図1の符号MV参照)。この移動中に，第3の携帯端末装置1cの通信装置109は，セルサーチを実行し(S81)，接続する基地局を第2の基地局3bから第1の基地局3aに切り替え，第1の基地局3aに自装置の位置登録を行う。その結果，第3の携帯端末装置1cの制限情報送信要求部15は，接続する基地局が変わったと判定する。
【０１４４】
ステップS83：第3の携帯端末装置1cの制限情報送信要求部15は，第3の携帯端末装置1cが接続している基地局(例えば，第1の基地局3a)の基地局IDと共に制限情報送信要求を管理サーバ4に送信する。
【０１４５】
ステップS84：第3の携帯端末装置1cの送受信部14は，制限情報送信要求に応答して管理サーバ4から送信された制限情報を受信する。管理サーバ4から送信された制限情報は，例えば，図8の制限情報STR4'である。管理サーバ4が制限情報を送信する処理については，図14で説明する。
【０１４６】
ステップS85：第3の携帯端末装置1cの送受信部14は，受信した制限情報をストレージ102の制限情報記憶領域IR1に記憶する。すなわち，送受信部14は，制限情報の更新処理を行う。
【０１４７】
(管理サーバにおける制限情報送信要求に対する応答)
図14は，管理サーバにおける制限情報送信要求に対する応答を説明するフロー図である。具体的には，図14は，図9のS9，S10を詳細に説明するフロー図である。以下，S91，S92が，図9のS9の詳細説明，S93，S94が，図9のS10の詳細説明である。
【０１４８】
図14の説明において，図13のS83で説明したように，第3の携帯端末装置1cの制限情報送信要求部15は，第3の携帯端末装置1cが接続している第1の基地局3aの基地局IDと共に制限情報送信要求を管理サーバ4に送信する。
【０１４９】
ステップS91: 管理サーバ4の送受信部42は，携帯端末装置から送信される制限情報送信要求の受信待ち処理を実行する。
【０１５０】
ステップS92: 管理サーバ4の送受信部42は，制限情報送信要求を受信したか判定する。制限情報送信要求を受信しない場合(S92/NO)，S91に移る。制限情報送信要求を受信した場合(S92/YES)，S93に移る。
【０１５１】
ステップS93:管理サーバ4の制限情報同報部44は，制限情報送信要求と共に受信した基地局IDと対応付けてストレージ402の制限情報記憶領域IR2に記憶されている制限情報を読み出す。例えば，制限情報同報部44は，第1の基地局3aの基地局IDと対応付けてストレージ402の制限情報記憶領域IR2に記憶されている制限情報STR4'を読み出す。
【０１５２】
なお，管理サーバ4の送受信部42は，制限情報送信要求と基地局IDとを受信すると，制限情報同報部44に出力する。
【０１５３】
ステップS94:管理サーバ4の送受信部42は，読み出した制限情報STR4'を，制限情報送信要求を送信した第3の携帯端末装置1cに送信する。
【０１５４】
第3の携帯端末装置1cの送受信部14は，管理サーバ4から送信された制限情報を受信する(図13のS84)。
【０１５５】
(制限情報に基づき機能制限)
図15は，携帯端末装置が実行する，制限情報に基づく機能制限について説明するフロー図である。図15において，例えば，第1の携帯端末装置1aが，制限情報に基づく機能制限を実行する場合を例示する。第1の携帯端末装置1aは，図11で説明したように，管理サーバ4から送信された制限情報STR4'をストレージ102の制限情報記憶領域IR1に記憶している。第1の携帯端末装置1aは，例えば30秒間隔で，S101の処理を実行する。
【０１５６】
ステップS101：第1の携帯端末装置1aの位置情報取得部16は，位置測定装置111がRAM103に記憶した位置情報を，RAM103から読み出し，機能制限部18に出力する。
【０１５７】
ステップS102：第1の携帯端末装置1aの機能制限部18は，ストレージ102の制限情報記憶領域IR1から制限情報STR4'を読み出す。
【０１５８】
ステップS103：第1の携帯端末装置1aの機能制限部18は，前記した位置情報と制限情報STR4'の制限情報IF1〜IF4における位置情報とを比較し，第1の携帯端末装置1aが制限範囲内に位置しているか判定する。第1の携帯端末装置1aが制限範囲内に位置していない場合(S103/NO)，図15の処理を終了する。第1の携帯端末装置1aが制限範囲内に位置している場合(S103/YES)，S104に移る。
【０１５９】
例えば，位置測定装置111がRAM103に記憶した位置情報が緯度p10，経度p10であり，この緯度p10，経度p10で示される位置は，制限情報IF1において頂点P11〜P14で示す制限範囲R1内(図1参照)であるとする。
【０１６０】
この例の場合，第1の携帯端末装置1aの機能制限部18は，第1の携帯端末装置1aが制限範囲R1内に位置していると判定する。以下，携帯端末装置の現在位置が，制限情報によって示される制限範囲内に位置する場合，この制限情報を対象制限情報と記す。前記の例では，対象機性情報は，制限情報IF1である。
【０１６１】
ステップS104：第1の携帯端末装置1aの機能制限部18は，現在時間が対象制限情報の制限時間帯に含まれるか判定する。現在時間が対象制限情報の制限時間帯に含まれない場合(S104/NO)，図15の処理を終了する。現在時間が対象制限情報の制限時間帯に含まれる場合(S104/YES)，S105に移る。
【０１６２】
S103で説明した例の場合，現在時間が例えば"12：00"である場合，この現在時間は，制限情報IF1の制限時間帯(10:00〜20:00)に含まれる。
【０１６３】
ステップS105：第1の携帯端末装置1aの機能制限部18は，対象制限情報の制限種別を実行する。S103で説明した例の場合，機能制限部18は，制限情報IF1の制限種別"マナーモード"を実行する。第1の携帯端末装置1aの機能制限部18は，制限種別が"マナーモード"の場合，例えば，電話の着信があると，音声入出力装置106の音声出力を停止し，振動装置105を振動させて，この振動により電話の着信をユーザに報知する。
【０１６４】
なお，第1の携帯端末装置1a〜第3の携帯端末装置1cの制限時間終了判定部19は，ストレージ102の制限情報記憶領域IR1に記憶されている制限情報で示される制限時間帯の終了時間が経過したか判定する。制限時間終了判定部19は，この制限時間帯の終了時間が経過したと判定すると，この制限情報をストレージ102から削除する。制限時間終了判定部19は，制限情報記憶領域IR1に，図2の制限情報IF1が記憶されている場合，終了時間"20:00"を経過すると，制限情報IF1をストレージ102から削除する。
【０１６５】
同じく，管理サーバ4の制限時間終了判定部45は，ストレージ402の制限情報記憶領域IR2に記憶されている制限情報で示される制限時間帯の終了時間が経過したか判定する。制限時間終了判定部45は，この制限時間帯の終了時間が経過したと判定すると，この制限情報をストレージ402から削除する。
【０１６６】
以上の実施の形態をまとめると，次の付記のとおりである。
【０１６７】
（付記１）
機能制限の内容を示す情報を読み取る読取部と，
記憶部に記憶された前記情報に基づき，自装置の機能を制限する処理部とを有し，
前記処理部は，前記読取部により読み取られた第1の前記情報を外部装置に送信し，前記外部装置から送信された，前記第1の情報を含む第2の前記情報を受信し，受信した前記第2の情報を前記記憶部に記憶する
ことを特徴とする携帯端末装置。
【０１６８】
（付記２）
付記1において，
前記処理部は，前記第1の情報が前記記憶部に記憶されていないと，前記第1の情報を外部装置に送信する
ことを特徴とする携帯端末装置。
【０１６９】
（付記３）
付記1または2において，
さらに，基地局に無線接続し，無線接続した前記基地局を介して前記外部装置と通信する通信部を有し，
前記処理部は，前記基地局から同報送信された前記第2の情報を前記通信部を介して受信する
ことを特徴とする携帯端末装置。
【０１７０】
（付記４）
付記1または2において，
さらに，基地局に無線接続し，無線接続した前記基地局を介して前記外部装置と通信する通信部を有し，
前記処理部は，無線接続する前記基地局が第1の前記基地局から前記第1の基地局と異なる第2の前記基地局に変わると，前記外部装置に前記情報の送信要求を行い，前記送信要求に応答して前記外部装置から送信された，前記外部装置に記憶されている第3の前記情報を受信し，受信した前記第3の情報を前記記憶部に記憶する
ことを特徴とする携帯端末装置。
【０１７１】
（付記５）
携帯端末装置と無線接続する基地局を介して前記携帯端末装置と通信し，前記携帯端末装置の機能を制限する内容を示す情報を前記携帯端末装置と送受信する通信部と，
前記通信部を介して受信した第1の前記情報が，記憶部に記憶されていないと，前記第1の情報を含む第2の前記情報を前記通信部を介して前記基地局に送信すると共に，前記基地局と無線接続する複数の前記携帯端末装置に前記第2の情報を同報送信するように指示する信号を前記通信部を介して前記基地局に送信する処理部とを有する
ことを特徴とする情報処理装置。
【０１７２】
（付記６）
携帯端末装置で実行される機能制限方法であって，
機能制限の内容を示す情報を読み取り，
読み取られた第1の前記情報を外部装置に送信し，
前記外部装置から送信された，前記第1の情報を含む第2の前記情報を受信し，
受信した前記第2の情報を前記記憶部に記憶し，
前記記憶部に記憶された前記第2の情報に基づき，自装置の機能を制限する
ことを特徴とする機能制限方法。
【０１７３】
（付記７）
コンピュータに，
機能制限の内容を示す情報を読み取り，
読み取られた第1の前記情報を外部装置に送信し，
前記外部装置から送信された，前記第1の情報を含む第2の前記情報を受信し，
受信した前記第2の情報を前記記憶部に記憶し，
前記記憶部に記憶された前記第2の情報に基づき，自装置の機能を制限する処理を実行させる
ことを特徴とするプログラム。
【符号の説明】
【０１７４】
1…携帯端末装置，1a〜3a…第1の携帯端末装置〜第3の携帯端末装置，2…RFIDタグ，3a，3b…第1の基地局，第2の基地局，4…管理サーバ，NT…ネットワーク，101…CPU(処理部)，102…ストレージ装置(記憶部)，103…RAM，104…ROM，105…振動装置，106…音声入出力装置，107…表示装置，108…入力装置，109…通信装置(通信部)，110…制限情報読取装置，111…位置測定装置，112…外部接続インターフェイス装置，SF1…処理ソフト，11…制御部，12…制限情報読取部，13…制限情報比較部，14…送受信部，15…制限情報送信要求部，16…位置情報取得部，17…制限範囲判断部，18…機能制限部，19…制限時間終了判定部，401…CPU(処理部)，402…ストレージ装置(記憶部)，403…RAM，404…ROM，405…通信装置(通信部)，406…外部接続インターフェイス装置，SF2…処理ソフト，41…制御部，42…送受信部，43…制限情報比較部，44…制限情報同報部，45…制限時間終了判定部。
【図１】
0006361321.tif 000002
【図２】
0006361321.tif 000003
【図３】
0006361321.tif 000004
【図４】
0006361321.tif 000005
【図５】
0006361321.tif 000006
【図６】
0006361321.tif 000007
【図７】
0006361321.tif 000008
【図８】
0006361321.tif 000009
【図９】
0006361321.tif 000010
【図１０】
0006361321.tif 000011
【図１１】
0006361321.tif 000012
【図１２】
0006361321.tif 000013
【図１３】
0006361321.tif 000014
【図１４】
0006361321.tif 000015
【図１５】
0006361321.tif 000016